(57)【要約】【課題】  本発明の課題は、計量部の取り外し作業や組み立て作業を容易に行うことができる計量米びつを提供することにある。【解決手段】  米を収容する米貯蔵部Ａと、この米貯蔵部Ａから一定量の米を計量排出する米計量装置２と、この米計量装置２で計量した米を取り出す米受け容器３とを備え、米計量装置２は、米貯蔵部Ａの米排出口１ｄと連通して一定量の米が貯えられる升部７ｄと米貯蔵部Ａの米排出口１ｄを閉塞する閉塞部７ｅとを備えた引出体７と、升部７ｄの底部を閉塞する底板８ｇと米受け容器３と連通する排出口８ｈとを備えた案内枠体８とからなり、引出体７を案内枠体８上を摺接しながら前方に引き出すことで引出体８の升部７ｄに貯えられる米を米受け容器３に排出する機能を有し、米計量装置２の前面に前面パネル５を着脱自在に取り付けるとともに、前面パネル５を取り外した状態で米計量装置２の引出体７及び案内枠体８を取り外し可能にした。【選択図】図４
2010187783.tif 000002
【特許請求の範囲】
【請求項１】
米を収容する米貯蔵部と、該米貯蔵部から一定量の米を計量排出する米計量部と、該米計量部で計量した米を取り出す米受け容器とを備え、
前記米計量部は、米貯蔵部の米排出口と連通して一定量の米が貯えられる升部と米貯蔵部の米排出口を塞ぐ摺切り部とを備えた引出体と、該引出体の升部の底面を塞ぐ閉塞部と米受け容器と連通する開口部とを備えた案内枠体とからなり、前記引出体を升部の上面が米排出口と連通し升部の底面が閉塞部に塞がれた位置から、摺切り部が米排出口を塞ぎ升部の底面が開口部と連通する位置までの範囲で案内枠体上に摺接しながら前方に引き出すことで引出体の升部に貯えられる米を米受け容器に排出する機能を有し、
該米計量部の前面に前面パネルを着脱自在に取り付けるとともに、該前面パネルを取り外した状態で米計量部の引出体及び案内枠体を前方から取り外し可能にしたことを特徴とする計量米びつ。
【請求項２】
米計量部の案内枠体を取付位置に位置決めするとともに、引出体を引き出す際に引出体と接触して抜け止めする案内部材を、前記米貯蔵部の米排出口に着脱自在に取り付けたことを特徴とする上記請求項１記載の計量米びつ。
【発明の詳細な説明】
【技術分野】
【０００１】
本発明は、貯蔵した米を一定量ずつ取り出す計量米びつに関し、特に米計量部を取り外して清掃できるようにしたものに関する。
【背景技術】
【０００２】
米計量部を取り外せる計量米びつとして、特許文献１，２が知られている。
特許文献１は、米びつ本体の底部から米計量部を着脱可能にしたものである。このような構成であると、米びつ本体を逆さにし底板を外してから計量体を取り外さなければならず、大がかりで面倒な作業が必要であった。
【０００３】
これに対し、特許文献２のように、米びつ本体の前面から計量部を着脱できるようにしたものでは、前面板を外すと計量体が取り外せるため、取り外し時の作業性は向上するものの、計量部を取り付ける際に、前面板に備えた操作ボタンと計量部とが正しく連係するように正確に組み立てなければならないという問題があった。また、計量部の取り外しを前面から行えることにより、誤って米貯蔵部内に米が残っている状態で計量部を外してしまうという問題も懸念される。
【特許文献１】実公平３−５４６８０号
【特許文献２】実用新案登録第２５０７５０１号
【発明の開示】
【発明が解決しようとする課題】
【０００４】
本発明が解決しようとする課題は、取り外し作業や組み立て作業が容易に行え、計量部を確実に清掃することができる計量米びつを提供することにある。
【課題を解決するための手段】
【０００５】
本発明は上記課題を解決するため、米を収容する米貯蔵部と、該米貯蔵部から一定量の米を計量排出する米計量部と、該米計量部で計量した米を取り出す米受け容器とを備え、
前記米計量部は、米貯蔵部の米排出口と連通して一定量の米が貯えられる升部と米貯蔵部の米排出口を塞ぐ摺切り部とを備えた引出体と、該引出体の升部の底面を塞ぐ閉塞部と米受け容器と連通する開口部とを備えた案内枠体とからなり、前記引出体を升部の上面が米排出口と連通し升部の底面が閉塞部に塞がれた位置から、摺切り部が米排出口を塞ぎ升部の底面が開口部と連通する位置までの範囲で案内枠体上に摺接しながら前方に引き出すことで引出体の升部に貯えられる米を米受け容器に排出する機能を有し、
該米計量部の前面に前面パネルを着脱自在に取り付けるとともに、該前面パネルを取り外した状態で米計量部の引出体及び案内枠体を前方から取り外し可能にしたものである。
【０００６】
また、米貯蔵部の米排出口に、案内枠体を収納位置に位置決めするとともに、引出体を引き出す際に引出体と接触して抜け止めする案内部材を着脱自在に取り付けたものである。
【発明の効果】
【０００７】
本発明によれば、引出体と案内枠体からなるユニット化された米計量部を、米びつ本体の前面から引き出すことで着脱することができ、計量部を取り付けてから操作部を取り付けるという面倒な作業が不要になる。また、米排出口に案内部材を取り付けて案内枠体及び引出体の位置決め及び抜け止めを行うようにしたので、米貯蔵部に米が残っている状態で誤って米計量部を外してしまうといった問題はなくなる。
【発明を実施するための最良の形態】
【０００８】
以下、図面を用いて本発明の実施態様について説明する。図１は本発明を採用した計量米びつの外観図、図２は同計量米びつの内部断面図である。
本発明の計量米びつは、米を貯蔵する米びつ本体１と、米びつ本体１の米を計量排出する米計量装置２と、米計量装置２で計量した米を取り出す米受け容器３とから構成されている。
【０００９】
米びつ本体１は、直方体の箱形をなし、上面に米投入口１ａを開口し、前面下部に米計量装置２及び米受け容器３を取り付けるための取付口１ｂを開口するとともに、内部に漏斗状のホッパー１ｃを形成している。本体１の内部は、ホッパー１ｃにより上下に区画され、上部に米貯蔵部Ａを形成し、下部に計量排出部Ｂを形成している。ホッパー１ｃの底部には、米排出口１ｄを開口しており、米貯蔵部Ａに貯蔵した米がホッパー１ｃの傾斜に沿ってこの米排出口１ｄから流下するように構成されている。
【００１０】
米投入口１ａには、蓋体４が着脱自在に取り付けられ、米貯蔵部Ａに米を補充する際に開閉される。取付口１ｂには、前面パネル５が着脱自在に取り付けられ、米計量装置２を取り外す際に開閉される。米排出口１ｄには、案内部材６が米貯蔵部Ａ内側から着脱自在に取り付けられる。
【００１１】
米計量装置２は、本体１の計量排出部Ｂに着脱自在で取り付けられ、取付状態においてホッパー１ｃの米排出口１ｄと連通して、一定量（ここでは１合）の米を取り出し、米受け容器３に排出するもので、前方に引き出し操作する引出体７と、この引出体７の動作を案内する案内枠体８とからなる。
【００１２】
米受け容器３は、米計量装置２の案内枠体８に着脱自在に取り付けられ、米計量装置２による１回の操作で計量排出される米の量よりも大きな容量を有し、米計量装置２に引き出し自在に収納される。
【００１３】
図３は米びつ本体１から米受け容器３及び前面パネル５を取り外した状態を示す説明図、図４は米計量装置２の構成を示す説明図である。
前面パネル５は、側面後縁に取付口１ｂの左右開口縁に設けた取付穴１ｅに掛止する係止爪５ａを形成し、前面下隅に左右一対で案内枠体８に差し込み係合する差込片５ｂ，５ｂを形成し、前面に取付口１ｂの開口上縁に設けた弾片１ｆが挿入される支持孔５ｃを形成している。
【００１４】
案内部材６は、米排出口１ｄを貫通する筒部６ａと、ホッパー１ｃ内面と密着して米の排出を案内するガイド部６ｂと、着脱用の把手部６ｃとを形成し、米を米計量装置２に案内する米供給口として機能する他、特に図示しないが、筒部６ａの内部に格子状のリブを備え、米排出口１ｄから米計量装置２に異物が混入するのを防止する異物防止体としても機能する。
【００１５】
引出体７は、前端に引き出し操作する際に指を引っ掛けるための把手部７ａを形成し、外側面に案内枠体８へ引き出し案内されるレールリブ７ｂ，７ｂを形成し、上面に前面パネル５の裏面に当接して引出量を規制する係止部７ｃと、米排出口１ｄと連通して一定量（ここでは１合）の米が貯えられる升部７ｄと、米排出口１ｄを閉塞する閉塞板７ｅとを形成し、閉塞板７ｅの後端に抜け止め用の凸部７ｆ，７ｆを形成している。
【００１６】
案内枠体８は、外側面に本体１の計量排出部Ｂに取り付けるための取付リブ８ａ，８ａを形成し、内側面に引出体７のレールリブ７ｂ，７ｂが摺動するレールリブ８ｂ，８ｂと、米受け容器３を上縁フランジ３ａが摺動するレールリブ８ｃ，８ｃとを形成し、前端に前面パネル５の差込片５ｂが差し込まれる上向きの差込孔８ｄ，８ｄを開口したフランジ部８ｅ，８ｅを形成し、後端に米排出口１ｄからの米を引出体７の升部７ｃに案内する案内筒８ｆを形成し、底面に引出体７の升部７ｄ底面を閉塞する底板８ｇと米受け容器３と連通した米取出口８ｈを形成し、案内筒８ｆの下端に引出体７の側板上端と抜止凸部７ｆが貫通する切欠部８ｉ，８ｉを形成している。
【００１７】
さて、このように構成する米計量装置２を本体１に取り付ける場合について説明する。
まず、案内枠体８を本体１前面の取付口１ｂから挿入して計量排出部Ｂに取り付ける。このとき、案内枠体２の取付リブ８ａ，８ａを計量排出部Ｂの内壁に形成した凹溝１ｇ，１ｇに取り付けられ、案内枠体８のフランジ部８ｅ，８ｅが取付口１ｂの開口縁に当接するまで挿入される。この案内枠体８の取付状態では、案内筒８ｆの上面開口が米排出口１ｄと正対することになる。次に、引出体７を案内枠体８のレールリブ８ｂ上にレールリブ７ｂを摺動して取り付ける。尚、引出体７を案内枠体８に取り付けた状態のまま、本体１に取り付けることもできる。
【００１８】
米計量装置２を取り付けた後は、案内部材６を米排出口１ｄに取り付ける。この取付状態では、米排出口１ｄを貫通した筒部６ａが案内枠体８の案内筒８ｆに内嵌され、実質的に案内枠体８を取付位置に固定する。また、図５に示すように、案内部材６の筒部６ａが案内枠体８の案内筒８ｆに内嵌された状態では、案内筒８ｆの切欠部８ｉのうち抜止凸部７ｆが貫通する部分を塞ぐため、引出体７が案内枠体８から抜けることが防止される。
【００１９】
案内部材６を取り付けた後は、本体１の取付口１ｂに前面パネル５を取り付ける。このとき、前面パネル５の係止爪５ａ，５ａを取付口１ｂの取付穴１ｅ，１ｅに合わせ、前面パネル５の差込片５ｂ，５ｂを案内枠体８の差込孔８ｄ，８ｄに合わせ、前面パネル５の支持孔５ｃに取付口１ｂの弾片１ｆを合わせて下方に押し下げることで、係合状態となる。この取付状態では、係止爪５ａ，５ａと差込片５ｂ，５ｂによって前後方向の抜け止めがなされ、支持孔５ｃと弾片１ｆとの係合によって上下方向の抜け止めがなされる。
【００２０】
前面パネル５を取り付けた後は、米受け容器３を取り付ける。このとき、米受け容器３の上縁フランジ３ａを案内枠体８のレールリブ８ｃ，８ｃ上に沿って取り付けられる。米受け容器３は、米計量装置２で計量した米を取り出すための容器であるので、通常の状態で特に規制なく、本体１から着脱可能になっていることは言うまでもない。
【００２１】
尚、米計量装置２を本体１から取り外す場合は、上記した手順を逆に行えばよい。すなわち、米受け容器３を外し、前面パネル５を外し、案内部材６を外してから米計量装置２を引き抜けば本体１の計量排出部Ｂから取り外すことができる。
【００２２】
前面パネル５を外すときは、支持孔５ｃを貫通した弾片１ｆを押して変形させ、係合状態を解除してから上方に押し上げて係止爪５ａ，５ａと差込片５ｂ，５ｂをそれぞれ取付穴１ｅ，１ｅと差込孔８ｄ，８ｄから外す。前面パネル５を外すと米計量装置２が露出するが、案内部材６が案内枠体８の案内筒８ｆに内嵌して案内枠体８を取付位置に固定するとともに、引出体７の抜止凸部７ｆと接触して引出体７を抜け止めしているため、案内部材６を外さなければ米計量装置２を取り外すことはできない。これは、案内部材６を外す作業を行うことで、米貯蔵部Ａ内に米が完全に残っていないことを確認させるためであり、米が残っている状態で米計量装置２を外すといった失敗を無くすことができる。
【００２３】
続いて、このように構成する計量米びつにおける計量動作について、図６を用いて説明する。
引出体７の収納位置は、図６（ａ）に示すように、引出体７の升部７ｄ前面壁が案内枠体８の案内筒８ｆ前面壁に当接し、升部７ｄと案内筒８ｆとが合致し、結果的に升部７ｄと米排出口１ｄが正対する。升部７ｄの底面は、案内枠体８の底板８ｇによって閉塞され、この収納位置で引出体７の升部７ｄに１合分の米が貯留される。
【００２４】
引出体７を図６（ｂ）の位置まで引き出すと、案内筒８ｆによって升部７ｄ上部の米を摺り切り、最終的に引出体７の閉塞板７ｅが案内枠体８の案内筒８ｆ先端を閉じ、米排出口１ｄを閉塞する。
【００２５】
引出体７を最大限引出位置では、図６（ｃ）に示すように、引出体７の係止凸部７ｂが前面パネル５の裏面に当接し、引出体７の升部７ｄと案内枠体８の米取出口８ｈとが正対することで、米受け容器３に１合分の米が計量排出されるのである。
【００２６】
本発明は以上のように構成され、米びつ本体から計量装置を取り外して洗えるようにしたものである。計量装置の取り外しは、本体の前面側から引き出すことで行うことができ、本体を逆さにするといった手間がない。また、米貯蔵室側から部材を取り外すまで計量装置を外すことができないため、貯蔵室内に米が完全になくなっていることを確認することができる。尚、このような計量米びつは、収納庫に組み込んでもいいし、冷却装置を備えて保冷できるようにしてもよい。いずれの場合においても、本体の前側から計量装置を着脱できる点は有効である。  
【図面の簡単な説明】
【００２７】
【図１】本発明を採用した計量米びつの外観図である。
【図２】同計量米びつの内部断面図である。
【図３】同計量米びつの米受け容器３及び前面パネル５を取り外した状態を示す説明図である。
【図４】同計量米びつの米計量装置２の構造を示す説明図である。
【図５】米計量装置２と案内部材６との取付状態を示す説明図である。
【図６】米計量装置２の計量動作を示す説明図である。
【符号の説明】
【００２８】
１    米びつ本体
２    米計量装置
３    米受け容器
４    蓋体
５    前面パネル
６    案内部材
７    引出体
８    案内枠体
【図１】
2010187783.tif 000003
【図２】
2010187783.tif 000004
【図３】
2010187783.tif 000005
【図４】
2010187783.tif 000006
【図５】
2010187783.tif 000007
【図６】
2010187783.tif 000008